Podtech/llm-jp-corpus-v4-ja_patent huggingface dataset:
【手続補正書】
【提出日】令和2年7月9日(2020.7.9)
【手続補正１】
【補正対象書類名】特許請求の範囲
【補正対象項目名】全文
【補正方法】変更
【補正の内容】
【特許請求の範囲】
【請求項１】
下記構造
【化１】
2020100649.tif 000001
【化２】
2020100649.tif 000002
【化３】
2020100649.tif 000003
【化４】
2020100649.tif 000004
【化５】
2020100649.tif 000005
【化６】
2020100649.tif 000006
【化７】
2020100649.tif 000007
【化８】
2020100649.tif 000008
または
【化９】
2020100649.tif 000009
を有する化合物、またはその薬学的に許容可能な塩、鏡像異性体、立体異性体または同位体誘導体。
【請求項２】
下記構造
【化１０】
2020100649.tif 000010
を有する請求項１に記載の化合物、またはその薬学的に許容可能な塩、鏡像異性体、立体異性体または同位体誘導体。
【請求項３】
下記構造
【化１１】
2020100649.tif 000011
を有する請求項１に記載の化合物、またはその薬学的に許容可能な塩、鏡像異性体、立体異性体または同位体誘導体。
【請求項４】
下記構造
【化１２】
2020100649.tif 000012
を有する請求項１に記載の化合物、またはその薬学的に許容可能な塩、鏡像異性体、立体異性体または同位体誘導体。
【請求項５】
下記構造
【化１３】
2020100649.tif 000013
を有する請求項１に記載の化合物、またはその薬学的に許容可能な塩、鏡像異性体、立体異性体または同位体誘導体。
【請求項６】
請求項１〜５のいずれか１項に記載の化合物と、薬学的に許容可能な担体を含む、医薬組成物。
【請求項７】
有効量の少なくとも１つの追加的抗癌剤をさらに含む、請求項６に記載の医薬組成物。
【請求項８】
前記抗癌剤が、エストラムスチン、ドセタキセル、ケトコナゾール、ゴセレリン酢酸塩、ヒストレリン、トリプトレリン、ブセレリン、シプロテロン、フルタミド、ビカルタミド、ニルタミド、パミドロネート、ゾレドロネート、ミトキサントロン、ペメトレキセド、イピリムマブ、ボリノスタット、エトポシド、ゲムシタビン、ドキソルビシン、ビンクリスチン、テモゾロミド、カペシタビン、イリノテカン、タモキシフェン、アナストラゾール、エキセメスタン、レトロゾール、ジエチルスチルベストロール、エストラジオール、エストロゲン、ベバシズマブ、ロイプロリド酢酸塩、トリプトレリンパモ酸塩、メドロキシプロゲステロン酢酸塩、ヒドロキシプロゲステロンカプリル酸塩、ラロキシフェン、メゲストロール酢酸塩、カルボプラチン、シスプラチン、ダカルバジン、メトトレキサート、ビンブラスチン、ビノレルビン、トポテカン、フィナステリド、アルゾキシフェン、フルベストラント、プレドニゾン、エンザルタミド、アパルタミド、またはドロルタミドである、請求項７に記載の医薬組成物。
【請求項９】
対象における乳癌の治療のために用いられる、請求項６〜８のいずれか１項に記載の医薬組成物。
【請求項１０】
下記構造
【化１４】
2020100649.tif 000014
を有する化合物、またはその薬学的に許容可能な塩、鏡像異性体、立体異性体または同位体誘導体を含む、請求項９に記載の医薬組成物。
【請求項１１】
下記構造
【化１５】
2020100649.tif 000015
を有する化合物、またはその薬学的に許容可能な塩、鏡像異性体、立体異性体または同位体誘導体を含む、請求項９に記載の医薬組成物。
【請求項１２】
下記構造
【化１６】
2020100649.tif 000016
を有する化合物、またはその薬学的に許容可能な塩、鏡像異性体、立体異性体または同位体誘導体を含む、請求項９に記載の医薬組成物。
【請求項１３】
下記構造
【化１７】
2020100649.tif 000017
を有する化合物、またはその薬学的に許容可能な塩、鏡像異性体、立体異性体または同位体誘導体を含む、請求項９に記載の医薬組成物。
【請求項１４】
有効量の少なくとも１つの追加的抗癌剤をさらに含む、請求項９〜１３のいずれか１項に記載の医薬組成物。
【請求項１５】
前記抗癌剤が、エストラムスチン、ドセタキセル、ケトコナゾール、ゴセレリン酢酸塩、ヒストレリン、トリプトレリン、ブセレリン、シプロテロン、フルタミド、ビカルタミド、ニルタミド、パミドロネート、ゾレドロネート、ミトキサントロン、ペメトレキセド、イピリムマブ、ボリノスタット、エトポシド、ゲムシタビン、ドキソルビシン、ビンクリスチン、テモゾロミド、カペシタビン、イリノテカン、タモキシフェン、アナストラゾール、エキセメスタン、レトロゾール、ジエチルスチルベストロール、エストラジオール、エストロゲン、ベバシズマブ、ロイプロリド酢酸塩、トリプトレリンパモ酸塩、メドロキシプロゲステロン酢酸塩、ヒドロキシプロゲステロンカプリル酸塩、ラロキシフェン、メゲストロール酢酸塩、カルボプラチン、シスプラチン、ダカルバジン、メトトレキサート、ビンブラスチン、ビノレルビン、トポテカン、フィナステリド、アルゾキシフェン、フルベストラント、プレドニゾン、エンザルタミド、アパルタミド、またはドロルタミドである、請求項１４に記載の医薬組成物。
【請求項１６】
前記抗癌剤がドセタキセル、ミトキサントロン、エストラムスチンまたはロイプロリド酢酸塩である、請求項８に記載の医薬組成物。
【請求項１７】
前記抗癌剤がドセタキセル、ミトキサントロン、エストラムスチンまたはロイプロリド酢酸塩である、請求項１５に記載の医薬組成物。
【請求項１８】
前記抗癌剤がFLT-3阻害剤、アンドロゲン受容体阻害剤、VEGFR阻害剤、EGFR TK阻害剤、オーロラキナーゼ阻害剤、PIK-1阻害剤、Bcl-2阻害剤、HDAC阻害剤、c-MET阻害剤、PARP阻害剤、Cdk阻害剤、抗HGF抗体、IGFR-TK阻害剤、PI3キナーゼ阻害剤、AKT阻害剤、JAK/STAT阻害剤、チェックポイント-1阻害剤、チェックポイント-2阻害剤、焦点接着キナーゼ阻害剤、Mapキナーゼキナーゼ阻害剤、またはVEGFトラップ抗体である、請求項７に記載の医薬組成物。
【請求項１９】
前記抗癌剤がFLT-3阻害剤、アンドロゲン受容体阻害剤、VEGFR阻害剤、EGFR TK阻害剤、オーロラキナーゼ阻害剤、PIK-1阻害剤、Bcl-2阻害剤、HDAC阻害剤、c-MET阻害剤、PARP阻害剤、Cdk阻害剤、抗HGF抗体、IGFR-TK阻害剤、PI3キナーゼ阻害剤、AKT阻害剤、JAK/STAT阻害剤、チェックポイント-1阻害剤、チェックポイント-2阻害剤、焦点接着キナーゼ阻害剤、Mapキナーゼキナーゼ阻害剤、またはVEGFトラップ抗体である、請求項１４に記載の医薬組成物。
【手続補正書】
【提出日】令和2年9月8日(2020.9.8)
【手続補正１】
【補正対象書類名】特許請求の範囲
【補正対象項目名】全文
【補正方法】変更
【補正の内容】
【特許請求の範囲】
【請求項１】
上下下降と前進を兼用するプロペラと翼を設ける事を特徴とする高速ドローン等航空機。
【請求項２】
請求項１に於いて、主翼が前方に尾翼が後方にある型、尾翼が無い無尾翼型、尾翼が先で主翼が後の先尾翼型、同じ主翼が前後にあるくし型、主翼と先尾翼と尾翼を桁で結合した型または、複数の桁で主翼を結合した型のいずれかの構造である事を特徴とするドローン。
【請求項３】
請求項１に於いて、翼面をソーラー電池とした事を特徴とする翼付ドローン。
【請求項４】
請求項１に於いて、機体の前後左右に４個以上の上昇前進兼用プロペラと水平飛行用固定翼を設けたことを特徴とする飛行体。
【請求項５】
請求項１に於いて、水平飛行用固定翼は、前記４個以上の上昇前進兼用プロペラ用の複数のプロペラガードと結合している構造である事を特徴とする請求項２の飛行体。
【請求項６】
翼桁及び／または胴体を利用して、上昇下降用及び前進用プロペラを搭載する事を特徴とする翼を持ったドローン。
【手続補正２】
【補正対象書類名】明細書
【補正対象項目名】００１８
【補正方法】変更
【補正の内容】
【００１８】
第９実施例までは翼を固定し、且つ前進用プロペラを別個に設けたものである。
第９実施例迄は上昇下降用のプロペラの後流が乱れないようにプロペラ後流部分に翼を配置していない。そして翼を固定している。また、前進用プロペラと上昇下降用プロペラと別に設けている。
また、第１実施例（図４）、第２実施例（図５）および、第３実施例（図６）は、水平飛行用固定翼が、４個以上の上昇前進兼用プロペラ用の複数のプロペラガードと結合しているドローンである。
さらに、第４実施例（図７）、第５実施例（図８）、第７実施例（図１０）、第９実施例（図１２）は、翼桁及び／または胴体を利用して、上昇下降用および前進用プロペラを搭載する翼を持ったドローンである。
【手続補正書】
【提出日】令和2年5月18日(2020.5.18)
【手続補正１】
【補正対象書類名】特許請求の範囲
【補正対象項目名】請求項３
【補正方法】変更
【補正の内容】
【請求項３】
前記給水部として、給水用ノズルと、洗浄用の水を入れた洗浄ボトルと、を有し、
前記給水用ノズルは前記マイクロ・ナノバブル発生部の入力側に接続され、前記洗浄ボトルは、前記マイクロ・ナノバブル発生部及び前記給水用ノズルを収容して前記ヘッド接続部の下部に取付けられ、
前記炭酸ガス送出口より炭酸ガスを前記洗浄ボトル内に噴出させて、前記洗浄ボトル内の炭酸ガスの圧力を高めることにより、前記給水用ノズルから前記マイクロ・ナノバブル発生部に前記洗浄用の水を給水するとともに、前記炭酸ガス送入口に炭酸ガスを供給すること、を特徴とする請求項１に記載の飲料供給経路の洗浄方法。
【手続補正２】
【補正対象書類名】特許請求の範囲
【補正対象項目名】請求項８
【補正方法】変更
【補正の内容】
【請求項８】
前記給水部として、給水用ノズルと、洗浄用の水を入れた洗浄ボトルと、を有し、
前記給水用ノズルは前記マイクロ・ナノバブル発生部の入力側に接続され、前記洗浄ボトルは、前記マイクロ・ナノバブル発生部及び前記給水用ノズルを収容して前記ヘッド接続部の下部に取付けられ、
前記炭酸ガス送出口より炭酸ガスを前記洗浄ボトル内に噴出させて、前記洗浄ボトル内の炭酸ガスの圧力を高めることにより、前記給水用ノズルから前記マイクロ・ナノバブル発生部に前記洗浄用の水を給水するとともに、前記炭酸ガス送入口に炭酸ガスを供給すること、を特徴とする請求項７に記載の洗浄装置。
【手続補正３】
【補正対象書類名】明細書
【補正対象項目名】００１０
【補正方法】変更
【補正の内容】
【００１０】
第３の観点では、本発明は、前記第１の観点の飲料供給経路の洗浄方法において、前記給水部として、給水用ノズルと、洗浄用の水を入れた洗浄ボトルとを有し、前記給水用ノズルは前記マイクロ・ナノバブル発生部の入力側に接続され、前記洗浄ボトルは、前記マイクロ・ナノバブル発生部及び前記給水用ノズルを収容して前記ヘッド接続部の下部に取付けられ、前記炭酸ガス送出口より炭酸ガスを前記洗浄ボトル内に噴出させて、前記洗浄ボトル内の炭酸ガスの圧力を高めることにより、前記給水用ノズルから前記マイクロ・ナノバブル発生部に前記洗浄用の水を給水するとともに、前記炭酸ガス送入口に炭酸ガスを供給することを特徴とする。本観点の発明では、従来の通水洗浄と同様に洗浄用の水を入れた洗浄ボトルを使用でき、さらに、マイクロ・ナノバブルを生成した水を用いることにより洗浄力を従来より大幅に高めることができる。
【手続補正４】
【補正対象書類名】明細書
【補正対象項目名】００１５
【補正方法】変更
【補正の内容】
【００１５】
第８の観点では、本発明は、前記第７の観点の洗浄装置において、前記給水部として、給水用ノズルと、洗浄用の水を入れた洗浄ボトルとを有し、前記給水用ノズルは前記マイクロ・ナノバブル発生部の入力側に接続され、前記洗浄ボトルは、前記マイクロ・ナノバブル発生部及び前記給水用ノズルを収容して前記ヘッド接続部の下部に取付けられ、前記炭酸ガス送出口より炭酸ガスを前記洗浄ボトル内に噴出させて、前記洗浄ボトル内の炭酸ガスの圧力を高めることにより、前記給水用ノズルから前記マイクロ・ナノバブル発生部に前記洗浄用の水を給水するとともに、前記炭酸ガス送入口に炭酸ガスを供給することを特徴とする。
【手続補正書】
【提出日】令和2年4月24日(2020.4.24)
【手続補正１】
【補正対象書類名】特許請求の範囲
【補正対象項目名】全文
【補正方法】変更
【補正の内容】
【特許請求の範囲】
【請求項１】
熱可塑性樹脂と発泡剤とを含む発泡性樹脂組成物を発泡し成形してなる発泡樹脂層が外面を形成し、
前記外面の算術平均高さが、１．５μｍ以上３０μｍ以下であり、前記外面の最大高さが３００μｍ以下であり、
前記発泡樹脂層の発泡倍率が１．０倍超８．０倍以下である、発泡樹脂成形品。
【請求項２】
前記熱可塑性樹脂が、ポリ塩化ビニル、ポリエチレン又はポリプロピレンのいずれかである、請求項１に記載の発泡樹脂成形品。
【請求項３】
前記発泡樹脂層の流路側に非発泡樹脂層を有する、請求項１又は２に記載の発泡樹脂成形品。
【請求項４】
配管である、請求項１〜３のいずれか一項に記載の発泡樹脂成形品。
【手続補正書】
【提出日】令和2年3月5日(2020.3.5)
【手続補正１】
【補正対象書類名】特許請求の範囲
【補正対象項目名】全文
【補正方法】変更
【補正の内容】
【特許請求の範囲】
【請求項１】
フッ化ビニリデンに由来する構成単位と、酸素原子を含む官能基を有する化合物に由来する構成単位と、を含むフッ化ビニリデン共重合体粒子であって、
上記フッ化ビニリデン共重合体粒子の表面におけるフッ化ビニリデン共重合体の酸素原子比率は、当該フッ化ビニリデン共重合体粒子の当該表面以外におけるフッ化ビニリデン共重合体の酸素原子比率よりも高い、フッ化ビニリデン共重合体粒子。
【請求項２】
ＸＰＳ（Ｘ線光電子分光法）測定によって求められる上記表面に存在する元素のうち、酸素原子比率が９ａｔｏｍｉｃ％以上である請求項１に記載のフッ化ビニリデン共重合体粒子。
【請求項３】
上記酸素原子を含む官能基は、カルボキシル基又はカルボン酸エステルであることを特徴とする請求項１又は２に記載のフッ化ビニリデン共重合体粒子。
【請求項４】
上記酸素原子を含む官能基を有する化合物として、不飽和二塩基酸、不飽和二塩基酸モノエステル、下記式（２）で表される化合物、下記式（３）で表される化合物及び下記式（４）で表される化合物からなる群から選択される少なくとも１種を含むことを特徴とする、請求項１〜３のいずれか１項に記載のフッ化ビニリデン共重合体粒子。
【化１】
2018172596.tif 000001
（上記式（２）中、Ｒ１、Ｒ２及びＲ３は、それぞれ独立に水素原子、塩素原子又は炭素数１〜５のアルキル基であり、Ｘ１は、主鎖が原子数１〜１９で構成される分子量４７２以下の原子団であり、かつ酸素原子及び窒素原子から選ばれる少なくとも一つのヘテロ原子を含む。）
【化２】
2018172596.tif 000002
（上記式（３）中、Ｒ４、Ｒ５及びＲ６は、それぞれ独立に水素原子、塩素原子又は炭素数１〜５のアルキル基であり、Ｘ２は主鎖が原子数１〜１９で構成される分子量４８４以下の原子団であり、かつ酸素原子及び窒素原子から選ばれる少なくとも一つのヘテロ原子を含む。）
【化３】
2018172596.tif 000003
（上記式（４）中、Ｒ７、Ｒ８及びＲ９は、それぞれ独立に水素原子、塩素原子又は炭素数１〜５のアルキル基であり、Ｒ１０は、水素原子、又は少なくとも一つのヒドロキシル基を含む炭素数１〜５の炭化水素部分である。）
【請求項５】
上記式（２）で表される化合物は、下記式（５）で表される化合物であることを特徴とする請求項４に記載のフッ化ビニリデン共重合体粒子。
【化４】
2018172596.tif 000004
（上記式（５）中、Ｒ１、Ｒ２及びＲ３はそれぞれ独立に水素原子、塩素原子又は炭素数１〜５のアルキル基であり、Ｘ３は、主鎖が原子数１〜１８で構成される分子量４５６以下の原子団である。）
【請求項６】
フッ化アルキルビニル化合物をさらに含むことを特徴とする、請求項１から５の何れか１項に記載のフッ化ビニリデン共重合体粒子。
【請求項７】
請求項１から６の何れか１項に記載のフッ化ビニリデン共重合体粒子、及び分散媒を含むことを特徴とする分散液。
【請求項８】
二次電池における負極層と正極層との間に設けられるセパレータの少なくとも一方の面に設けられるフッ素樹脂層の形成のためのコーティング組成物であって、
請求項１から６の何れか１項に記載のフッ化ビニリデン共重合体粒子を含むことを特徴とするコーティング組成物。
【請求項９】
増粘剤をさらに含むことを特徴とする請求項８に記載のコーティング組成物。
【請求項１０】
フィラーをさらに含むことを特徴とする請求項８又は９に記載のコーティング組成物。
【請求項１１】
請求項８から１０の何れか１項に記載のコーティング組成物から形成されたフッ素樹脂層が少なくとも一方の面に設けられていることを特徴とするセパレータ。
【請求項１２】
請求項１１に記載のセパレータを備えることを特徴とする二次電池。
【請求項１３】
二次電池における負極層と正極層との間に設けられるセパレータに接するように、当該負極層及び当該正極層の少なくとも一方の面に設けられるフッ素樹脂層の形成のためのコーティング組成物であって、請求項１から６のいずれか１項に記載のフッ化ビニリデン共重合体粒子を含むことを特徴とするコーティング組成物。
【請求項１４】
請求項１から６の何れか１項に記載のフッ化ビニリデン共重合体粒子を含むことを特徴とするバインダー組成物。
【手続補正書】
【提出日】令和2年3月6日(2020.3.6)
【手続補正１】
【補正対象書類名】特許請求の範囲
【補正対象項目名】全文
【補正方法】変更
【補正の内容】
【特許請求の範囲】
【請求項１】
下記の成分（Ａ）〜（Ｅ）：
（Ａ）フラーレンを０．００１〜０．３重量％溶解した油剤
（Ｂ）非イオン性界面活性剤
（Ｃ）多価アルコール
（Ｄ）油剤
（Ｅ）水
を含有し、バイコンティニュアス構造を有していることを特徴とする化粧料用組成物。
【請求項２】
水溶性色素を水に溶解した液を添加する場合、及び、油溶性色素を油に溶解した液を添加する場合、いずれにおいてもそれぞれの色素の色相に均一に着色することを特徴とする請求項１に記載の化粧料用組成物。
【請求項３】
成分（Ａ）の含有量が１〜２０重量％、成分（Ｂ）の含有量が１５〜４５重量％、成分（Ｃ）の含有量が１０〜３５重量％、成分（Ｄ）の含有量が５〜３０重量％、成分（Ｅ）の含有量が１０〜４０重量％であることを特徴とする請求項１又は２に記載の化粧料用組成物。
【請求項４】
成分（Ａ）を構成するフラーレン以外の油剤が、下記の一般式（１）で表されるラクトン誘導体及びエステル油から選択される１種又は２種以上であることを特徴とする請求項１〜３のいずれかに記載の化粧料用組成物。
【化１】
2018172362.tif 000001
（式中、ｎは１又は２であり、Ｒは炭素数９〜２２の直鎖又は分岐鎖の飽和又は不飽和炭化水素基を表す）
【請求項５】
成分（Ｂ）の非イオン性界面活性剤が、ポリグリセリン脂肪酸エステル、ポリオキシエチレングリセリン脂肪酸エステル、ポリオキシエチレンソルビタン脂肪酸エステル、ポリオキシエチレン脂肪酸エステル及びポリオキシエチレンアルキルエーテルから選択される１種又は２種以上であることを特徴とする請求項１〜４のいずれかに記載の化粧料用組成物。
【請求項６】
請求項１〜５のいずれかに記載の化粧料用組成物が水性媒体に分散されている化粧料。
【請求項７】
請求項１〜５のいずれかに記載の化粧料用組成物が水性媒体に分散されている毛髪化粧料。
【手続補正書】
【提出日】令和2年1月7日(2020.1.7)
【手続補正１】
【補正対象書類名】特許請求の範囲
【補正対象項目名】全文
【補正方法】変更
【補正の内容】
【特許請求の範囲】
【請求項１】
質量％で、
ＳｉＯ２成分を０％超３０．０％以下、
Ｂ２Ｏ３成分を０％超３５．０％以下、
Ｌａ２Ｏ３成分を２．０％以上３５．０％以下、
ＢａＯ成分を２０．０％以上６０．０％以下
含有し、
１．６３以上の屈折率（ｎｄ）を有し、４５以上６０以下のアッベ数（νｄ）を有し、  相対屈折率（５８９．２９ｎｍ）の温度係数（４０〜６０℃）が＋３．０×１０−６〜−５．０×１０−６（℃−１）の範囲内にあり、
粉末法による化学的耐久性（耐水性）がクラス１〜３である光学ガラス。
【請求項２】
質量％で、
ＭｇＯ成分  ０〜５．０％
ＣａＯ成分  ０〜１５．０％
ＳｒＯ成分  ０〜１５．０％
Ｋ２Ｏ成分  ０〜１０．０％
ＴｉＯ２成分  ０〜１０．０％
Ｎｂ２Ｏ５成分  ０〜１０．０％
ＷＯ３成分  ０〜１０．０％
ＺｒＯ２成分  ０〜１０．０％
ＺｎＯ成分  ０〜１０．０％
Ｇｄ２Ｏ３成分  ０〜２５．０％
Ｙ２Ｏ３成分  ０〜２５．０％
Ｙｂ２Ｏ３成分  ０〜１０．０％
Ｌｉ２Ｏ成分  ０〜３．０％
Ｎａ２Ｏ成分  ０〜５．０％
Ａｌ２Ｏ３成分  ０〜１５．０％
Ｇａ２Ｏ３成分  ０〜１０．０％
Ｐ２Ｏ５成分  ０〜１０．０％
ＧｅＯ２成分  ０〜１０．０％
Ｔａ２Ｏ５成分  ０〜５．０％
Ｂｉ２Ｏ３成分  ０〜１０．０％
ＴｅＯ２成分  ０〜１０．０％
ＳｎＯ２成分  ０〜３．０％
Ｓｂ２Ｏ３成分  ０〜１．０％
であり、
上記各元素の１種又は２種以上の酸化物の一部又は全部と置換した弗化物のＦとしての含有量が０〜１０．０質量％である請求項１記載の光学ガラス。
【請求項３】
質量％で、ＲＯ成分の含有量の和が２５．０％以上６５．０％以下である請求項１又は２記載の光学ガラス（式中、ＲはＭｇ、Ｃａ、Ｓｒ、Ｂａからなる群より選択される１種以上）。
【請求項４】
質量和（ＲＯ＋Ｋ２Ｏ）が２５．０％以上６５．０％以下である請求項１から３のいずれか記載の光学ガラス（式中、ＲはＭｇ、Ｃａ、Ｓｒ、Ｂａからなる群より選択される１種以上）。
【請求項５】
質量和（ＳｉＯ２＋Ｂ２Ｏ３）が１５．０％以上５５．０％以下である請求項１から４のいずれか記載の光学ガラス。
【請求項６】
質量和ＴｉＯ２＋Ｎｂ２Ｏ５＋ＷＯ３＋ＺｒＯ２が１０．０％以下である請求項１から５のいずれか記載の光学ガラス。
【請求項７】
質量比（ＲＯ＋Ｋ２Ｏ）／（ＴｉＯ２＋Ｎｂ２Ｏ５＋ＷＯ３＋ＺｒＯ２＋ＺｎＯ＋ＳｉＯ２＋Ｂ２Ｏ３）が１．００以上３．００以下である請求項１から６のいずれか記載の光学ガラス（式中、ＲはＭｇ、Ｃａ、Ｓｒ、Ｂａからなる群より選択される１種以上）。
【請求項８】
質量比（ＳｉＯ２＋Ａｌ２Ｏ３＋ＴｉＯ２＋Ｎｂ２Ｏ５＋ＺｒＯ２）／Ｂ２Ｏ３が０．２０以上である請求項１から７のいずれか記載の光学ガラス。
【請求項９】
請求項１から８のいずれか記載の光学ガラスからなる光学素子。
【請求項１０】
請求項９に記載の光学素子を備える光学機器。
【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
第１バージと、
前記第１バージに設けられ、メンテナンス対象部を含む機器が搭載された第２バージに前記第１バージを接続するための第１接続部と、
前記第１バージ上に設けられ、壁部と屋根部を含む建屋と、
を備え、
前記第１バージ上において、前記第１接続部と前記建屋の間に、前記メンテナンス対象部を置くことが可能な仮置きスペースが設けられた
ことを特徴とするメンテナンス設備。
【請求項２】
前記第１バージ上に設置されたメンテナンス用のユーティリティ機器をさらに備える
ことを特徴とする請求項１に記載のメンテナンス設備。
【請求項３】
前記第１バージ上で前記メンテナンス対象部を移送可能な運搬機器をさらに備える
ことを特徴とする請求項１又は２に記載のメンテナンス設備。
【請求項４】
メンテナンス用の第１バージに接続するための第２接続部を含む第２バージと、
前記第２バージ上に設けられる発電装置と、
前記第２バージ上で、前記発電装置のメンテナンス対象部と前記第２接続部との間に設けられたクレーンと、
を備えることを特徴とする発電設備。
【請求項５】
前記クレーンは、前記発電装置を構成するタービンの軸方向における側方に位置する
ことを特徴とする請求項４に記載の発電設備。
【請求項６】
メンテナンス対象部を含む機器が設置された第２バージにメンテナンス用の第１バージを接続するステップと、
前記第２バージ上に設置されたクレーンで、前記メンテナンス対象部を前記第１バージの仮置きスペースに移動させるステップと、
前記第１バージ上で前記メンテナンス対象部をメンテナンスするステップと、
を備えることを特徴とする機器のメンテナンス方法。
【請求項７】
前記第２バージに前記第１バージを接続した状態で、前記第１バージ上に設けられた壁部と屋根部を含む建屋と、前記第２バージとの間に位置する前記第１バージ上の前記仮置きスペースに前記メンテナンス対象部を移動させる
ことを特徴とする請求項６に記載の機器のメンテナンス方法。
【請求項８】
前記第２バージに前記第１バージを接続した状態で、前記メンテナンス対象部と前記第１バージとの間にて前記第２バージ上に設けられた前記クレーンにより前記メンテナンス対象部を前記仮置きスペースに移動させる
ことを特徴とする請求項６又は７に記載の機器のメンテナンス方法。
【請求項９】
前記メンテナンスするステップでは、前記第１バージ上のユーティリティ機器を用いて前記メンテナンス対象部をメンテナンスする
ことを特徴とする請求項６乃至８の何れか一項に記載の機器のメンテナンス方法。
【請求項１０】
前記仮置きスペースに置かれた前記メンテナンス対象部を、前記第１バージ上に設けられた建屋に運搬機器を用いて運ぶステップをさらに備え、
前記メンテナンスするステップでは、前記建屋の中で前記メンテナンス対象部をメンテナンスする
ことを特徴とする請求項６乃至９の何れか一項に記載の機器のメンテナンス方法。
【手続補正書】
【提出日】令和2年1月30日(2020.1.30)
【手続補正１】
【補正対象書類名】特許請求の範囲
【補正対象項目名】請求項６
【補正方法】変更
【補正の内容】
【請求項６】
前記吸引ヘッドは、吸着位置で前記袋ごと吸着した前記積層容器群を、４５度以上かつ９０度未満の傾斜角で傾く状態に仮置きし、
前記引抜部は、前記積層容器群が収容された前記袋の重力方向と反対側の端部を把持して前記袋を前記積層容器群の長手方向に沿う方向に引き抜くことを特徴とする請求項４又は５に記載の積層容器群の搬送装置。
【手続補正２】
【補正対象書類名】明細書
【補正対象項目名】００１６
【補正方法】変更
【補正の内容】
【００１６】
上記搬送装置において、前記吸引ヘッドは、吸着位置で前記袋ごと吸着した前記積層容器群を、４５度以上かつ９０度未満の傾斜角で傾く状態に仮置きし、前記引抜部は、前記積層容器群が収容された前記袋の重力方向と反対側の端部を把持して前記袋を前記積層容器群の長手方向に沿う方向に引き抜くことが好ましい。
【手続補正書】
【提出日】令和2年2月17日(2020.2.17)
【手続補正１】
【補正対象書類名】特許請求の範囲
【補正対象項目名】全文
【補正方法】変更
【補正の内容】
【特許請求の範囲】
【請求項１】
主としてアルミニウムから構成されるターゲット材と、支持部材とを、インジウム、スズおよび亜鉛からなる群から選択される少なくとも１つの金属またはその合金を含む接合材で結合してなるスパッタリングターゲットをスパッタリングにて使用した後、前記支持部材から分離されたターゲット材の少なくとも前記支持部材との結合面を、水酸化ナトリウムおよび水酸化カリウムからなる群から選択される少なくとも１つの塩基で処理し、その後、酸で処理することを含む、前記ターゲット材を洗浄するための方法。
【請求項２】
前記塩基での処理及び／又は酸での処理の後に、流体によるジェット洗浄を行うことを特徴とする、請求項１に記載の方法。
【請求項３】
前記塩基及び／又は前記酸が、水溶液であることを特徴とする、請求項１または２に記載の方法。
【請求項４】
前記塩基が、アルミニウムイオンと錯形成するキレート剤を含むことを特徴とする、請求項１〜３のいずれか１項に記載の方法。
【請求項５】
前記酸が、塩酸、硝酸、硫酸、フッ化水素酸、燐酸、王水、及びフッ硝酸からなる群より選択される無機酸であることを特徴とする、請求項１〜４のいずれか１項に記載の方法。
【請求項６】
請求項１〜５のいずれか１項に記載の方法によりターゲット材を処理することを含む、使用済みターゲット材の製造方法。
【請求項７】
請求項６に記載の製造方法により得られる使用済みターゲット材を用いるリサイクル鋳塊の製造方法。
【手続補正書】
【提出日】令和2年9月23日(2020.9.23)
【手続補正１】
【補正対象書類名】特許請求の範囲
【補正対象項目名】全文
【補正方法】変更
【補正の内容】
【特許請求の範囲】
【請求項１】
純度９９．９９％以上のアルミニウム又は純度９９．９９％以上の銅を主として含む金属から構成されるターゲット材と支持部材とが接合材で結合されてなるスパッタリングターゲットの前記支持部材から前記ターゲット材を分離し、少なくとも前記ターゲット材の前記接合材が付着している接合面に水のみを９０ＭＰａ以上の圧力で噴射することのみによって、前記ターゲット材から前記接合材および支持部材に由来する不純物を前記接合面から除去し、前記水が噴射されたターゲット材の接合面の少なくとも一部が梨地状となり、算術平均粗さＲａが１０μｍを超えるまで前記接合面に水を噴射することを特徴とするターゲット材の洗浄方法。
【請求項２】
前記水の噴射を複数の噴射口を有する回転式ノズルヘッドを用いて行うことを特徴とする請求項１に記載のターゲット材の洗浄方法。
【請求項３】
前記噴射口の数が３以上であることを特徴とする請求項２に記載のターゲット材の洗浄方法。
【請求項４】
前記回転式ノズルヘッドの全噴射口から噴射される水の総吐出量が２．０Ｌ／ｍｉｎ以上あることを特徴とする請求項２または３に記載のターゲット材の洗浄方法。
【請求項５】
水の噴射は、前記回転式ノズルヘッドを回転速度５００ｍｉｎ−１以上で回転させながら、一定方向に移動速度１００ｍｍ／ｍｉｎ以上で移動させながら行うことを特徴とする請求項２〜４のいずれか１項に記載のターゲット材の洗浄方法。
【請求項６】
請求項１〜５のいずれか１項に記載の洗浄方法によりターゲット材を処理することを含む、ターゲット材の製造方法。
【請求項７】
エネルギー分散型蛍光Ｘ線分析によって、純度９９．９９％以上のアルミニウム又は純度９９．９９％以上の銅を主として含む金属から構成されるターゲット材と支持部材とが接合材で結合されてなるスパッタリングターゲットの接合材および支持部材に由来する不純物に含まれる元素が検出されないことを特徴とする洗浄後のターゲット材。
【請求項８】
請求項６に記載の製造方法により得られるターゲット材を原料として、前記金属を鋳造することで前記金属を含むリサイクル鋳塊を得ることを特徴とするリサイクル鋳塊の製造方法。
【請求項９】
純度９９．９９％以上のアルミニウム又は純度９９．９９％以上の銅を主として含む金属から構成されるターゲット材と支持部材とが接合材で結合されてなるスパッタリングターゲットの接合材および支持部材に由来する不純物の合計量が重量基準で１０ｐｐｍ未満であることを特徴とするリサイクル鋳塊。
【手続補正書】
【提出日】令和2年1月30日(2020.1.30)
【手続補正１】
【補正対象書類名】特許請求の範囲
【補正対象項目名】全文
【補正方法】変更
【補正の内容】
【特許請求の範囲】
【請求項１】
・三次元シーンの中で、一組の頂点（Ｖ１、Ｖ２、Ｖ３）と、前記頂点を繋いでいる一組の辺（Ｅ１、Ｅ２）によって定義されたカーブ(Ｃ)を有する三次元モデル化オブジェクトを提供するステップと、
・前記カーブ上に点(Ｐ)を配置するステップと、
・第一の頂点（Ｖ２）に関連して、前記カーブ上の前記点の最初の位置を格納するステップと、
・前記三次元シーンの範囲内に前記点の最初の位置を格納するステップと、
・前記第一の頂点を削除することによって、前記カーブを変更するステップと、
を含む三次元モデル化オブジェクトを設計するコンピュータ実施方法において、さらに、
・前記変更されたカーブ(Ｃ’)上の前記三次元シーンの範囲内で前記点の格納された最初の位置から最小の距離にある変更された位置(Ｐ’)に、変更されたカーブ(Ｃ’)上の、前記点を配置するステップをさらに含むことを特徴とするコンピュータ実施方法。
【請求項２】
請求項１に記載のコンピュータ実施方法において、
前記第一の頂点の削除の後、再度、前記カーブを変更するステップをさらに含み、三次元シーンの範囲内において、それが前記カーブ(Ｃ’’)及び前記点の格納された最初の位置から最小の距離にあるように、前記三次元シーンにおける前記点(Ｐ’’)の位置を変更する、コンピュータ実施方法。
【請求項３】
請求項１又は請求項２に記載のコンピュータ実施方法において、
前記第一の頂点の削除の前に、前記カーブを変更するステップであって、前記ステップは、前記三次元シーンにおいて、それが前記カーブ上にあり、かつ、前記第一の頂点に対する位置は変更しないままであるように、前記三次元シーン内の前記点の前記位置を変更するステップをさらに有する、ステップと、前記三次元シーン内の前記点の前記変更した位置を格納するステップとをさらに含む、コンピュータ実施方法。
【請求項４】
前記請求項１〜３のいずれかに記載のコンピュータ実施方法において、
前記第一の頂点の復元によって、前記カーブを変更するステップであって、前記ステップは、それが前記カーブ(Ｃ’’’)上にあり、かつ、前記第一の頂点に対する前記格納された最初の位置をとるように、前記三次元シーン内の前記点の前記位置を変更するステップをさらに有する、ステップと、
前記三次元シーンにおいて、前記点の変化した位置を格納するステップをさらに含むコンピュータ実施方法。
【請求項５】
請求項１〜４のいずれかに記載のコンピュータ実施方法において、
第一の頂点に対して前記カーブ上の前記点の前記最初の位置は、前記カーブに沿って測定された前記点と第一の頂点との間の距離(Ｄ)又はその関数として定義されている、コンピュータ実施方法。
【請求項６】
請求項１〜５のいずれかに記載のコンピュータ実施方法において、
前記三次元モデル化オブジェクト(Ｏ)は、対象物の幾何学的なモデルである、コンピュータ実施方法。
【請求項７】
・請求項６に記載の実施方法によって実行されるコンピュータ実施のデザインステップと、
・前記デザインに従う前記対象物を物理的に製造するステップと、
を有する、対象物を製造する方法。
【請求項８】
請求項１〜６のいずれかに記載のコンピュータ実施方法をコンピュータシステムに実行させるコンピュータ実施可能な指示を有する不揮発性のコンピュータ読取り可能データ記憶媒体(Ｍ１-Ｍ４)に格納される、コンピュータ・プログラム。
【請求項９】
請求項１〜６のいずれかに記載のコンピュータ実施方法をコンピュータシステムに実行させるコンピュータ実施可能な命令 (ＥＸＰ) を有する不揮発性のコンピュータ読取り可能データ記憶媒体 (Ｍ１-Ｍ４)。
【請求項１０】
メモリ(Ｍ１-Ｍ４)及びグラフィカル・ユーザ・インタフェース (ＫＢ、ＰＤ、ＤＣ、ＤＹ)に連結されたプロセッサー(Ｐ)を備えたコンピュータ支援設計システムであって、
前記メモリは、コンピュータ設計システムに請求項１〜６のいずれかに記載の方法を実行させるためのコンピュータ実施可能な命令(ＥＸＰ)を格納する、コンピュータ設計システム。
【手続補正２】
【補正対象書類名】明細書
【補正対象項目名】００４９
【補正方法】変更
【補正の内容】
【００４９】
管理者システムのメモリ装置及びエンドユーザーコンピュータが、実施可能プログラムＥＸＰおよび／または三次元シーンを定義するコンピュータファイルを格納することを除いて、管理者システムとエンドユーザーコンピュータの全体のアーキテクチャは、図６に関係した上記の議論と同じであり得る。だたし、エンドユーザーコンピュータは、以下で議論されるようにサーバーの実施可能プログラムと協働するために設計されたクライアントプログラムを格納する。
【手続補正書】
【提出日】令和1年12月10日(2019.12.10)
【手続補正１】
【補正対象書類名】特許請求の範囲
【補正対象項目名】全文
【補正方法】変更
【補正の内容】
【特許請求の範囲】
【請求項１】
環境を表すコンピュータ支援設計（ＣＡＤ）モデルを更新するコンピュータ実行方法であって、
環境の１つまたは複数の実在オブジェクトに反射している受信した信号に基づいて、コンピュータメモリにおいて前記環境の前記１つまたは複数のオブジェクトを表すポイントクラウドを生成するステップと、
１つまたは複数のクラスタを含むポイントの密度に基づいて、前記ポイントクラウドの前記１つまたは複数のクラスタを識別するステップであって、前記識別するステップは、前記コンピュータメモリに結合されたプロセッサによって実行される、ステップと、
前記プロセッサによって、前記１つまたは複数のクラスタを既存のＣＡＤ図にマッピングするステップと、
前記プロセッサによって、前記既存のＣＡＤ図を使用して、前記環境のＣＡＤモデルを自動的に更新するステップであって、前記環境の前記ＣＡＤモデルは、コンピュータシステムメモリに保持される、ステップと
を備えたことを特徴とする方法。
【請求項２】
前記１つまたは複数のクラスタのサブコンポーネントを更新するように、前記識別するステップ、マッピングするステップ、および更新するステップを繰り返すステップをさらに備えたことを特徴とする請求項１に記載の方法。
【請求項３】
前記識別した１つまたは複数のクラスタをそれぞれのライブラリとして前記コンピュータメモリに記憶するステップをさらに備えたことを特徴とする請求項１に記載の方法。    
【請求項４】
前記１つまたは複数のクラスタをマッピングするステップは、
前記１つまたは複数のクラスタをそれぞれの２次元（２Ｄ）表現に平坦化するステップと、
前記それぞれの２Ｄ表現を既存の２Ｄ  ＣＡＤ図と比較して、１つまたは複数の一致する既存の２Ｄ  ＣＡＤ図を識別するステップと
を含むことを特徴とする請求項１に記載の方法。
【請求項５】
前記受信した信号は、
音声信号および光信号のうちの少なくとも１つであることを特徴とする請求項１に記載の方法。
【請求項６】
前記ポイントクラウドを使用して、前記１つまたは複数の実在オブジェクトの空間的変化を示すように前記環境の前記ＣＡＤモデルを更新するステップをさらに備えたことを特徴とする請求項１に記載の方法。
【請求項７】
前記ポイントクラウドを使用して、前記１つまたは複数の実在オブジェクトに対する機械的変化を示すように前記環境の前記ＣＡＤモデルを更新するステップをさらに備えたことを特徴とする請求項１に記載の方法。
【請求項８】
前記ポイントクラウドを使用して、前記１つまたは複数の実在オブジェクトの１つまたは複数の材質を識別するステップをさらに備えたことを特徴とする請求項１に記載の方法。
【請求項９】
環境を表すコンピュータ支援設計（ＣＡＤ）モデルを更新するシステムであって、
環境の１つまたは複数の実在オブジェクトにおいて信号を放射するように構成された放射体と、
前記１つまたは複数のオブジェクトに反射する信号を受信するように構成された受信機と、
前記受信機に通信可能に結合され、ならびにコンピュータメモリおよび前記コンピュータメモリに通信可能に結合されたプロセッサを含むデジタル処理モジュールと
を備え、前記プロセッサは、
前記受信した信号を使用して、前記コンピュータメモリにおいて、前記環境の前記１つまたは複数のオブジェクトを表すポイントクラウドを生成し、
１つまたは複数のクラスタを含むポイントの密度に基づいて、前記ポイントクラウドの前記１つまたは複数のクラスタを識別し、
前記１つまたは複数のクラスタを既存のＣＡＤ図にマッピングし、および
前記既存のＣＡＤ図を使用して、前記環境のＣＡＤモデルを自動的に更新し、前記環境の前記ＣＡＤモデルは、前記コンピュータメモリに保持される
ように構成されていることを特徴とするシステム。
【請求項１０】
環境を表すコンピュータ支援設計（ＣＡＤ）モデルを更新するコンピュータプログラムであって、前記コンピュータプログラムは、プログラム命令を含み、前記プログラム命令は、プロセッサによって実行されると、前記プロセッサに、
環境の１つまたは複数の実在オブジェクトに反射している受信した信号に基づいて、前記プロセッサに結合されたコンピュータメモリにおいて、前記受信した信号を使用して前記環境の前記１つまたは複数のオブジェクトを表すポイントクラウドを生成させ、
１つまたは複数のクラスタを含むポイントの密度に基づいて、前記ポイントクラウドの前記１つまたは複数のクラスタを識別させ、
前記１つまたは複数のクラスタを既存のＣＡＤ図にマッピングさせ、および
前記既存のＣＡＤ図を使用して、前記環境のＣＡＤモデルを自動的に更新させ、前記環境の前記ＣＡＤモデルは、前記コンピュータメモリに保持される
ことを特徴とするコンピュータプログラム。
【手続補正書】
【提出日】令和1年12月11日(2019.12.11)
【手続補正１】
【補正対象書類名】特許請求の範囲
【補正対象項目名】全文
【補正方法】変更
【補正の内容】
【特許請求の範囲】
【請求項１】
複数の天井板を有する処理室を備え、
前記複数の天井板は、瓦状に積み重ねられて傾斜し、傾斜方向に隣接する二つの天井板のうち、高い位置の天井板における低い側の端部が低い位置の天井板における高い側の端部を覆い、
前記高い位置の天井板における前記低い側の端部と、前記低い位置の天井板における前記高い側の端部とは、両天井板の間に設けた支持脚を介して接し、前記支持脚によって、前記低い側の端部と前記高い側の端部との間に隙間を生じさせるように設けられていることを特徴とする基板処理装置。
【請求項２】
前記隙間は、前記傾斜方向に沿って徐々に狭くなっていることを特徴とする請求項１に記載の基板処理装置。
【請求項３】
前記複数の天井板のうち、高い位置に存在する天井板の長さは、低い位置に存在する天井板の長さよりも短いことを特徴とする請求項１または２に記載の基板処理装置。
【請求項４】
前記複数の天井板のうち、高い位置に存在する天井板の水平面に対する傾斜角度は、低い位置に存在する天井板よりも大きな角度であることを特徴とする請求項１から請求項３のいずれかに記載の基板処理装置。
【請求項５】
同じ傾斜方向に並ぶ各天井板は、互いに平行に配置されることを特徴とする請求項１から請求項４のいずれかに記載の基板処理装置。
【請求項６】
前記天井板の両面には、濡れ性を向上させる膜が形成されていることを特徴とする請求項１から請求項５のいずれかに記載の基板処理装置。
【請求項７】
前記複数の天井板のうち、最も低い位置に存在する天井板の傾斜角度は、他の天井板の傾斜角度よりも水平に近づく方向に傾斜する角度であることを特徴とする請求項１から請求項６のいずれかに記載の基板処理装置。
【請求項８】
前記低い位置の天井板における高い側の端部は、高い位置の天井板における低い側の端部に平行な第１の部分と、前記高い位置の天井板から離れる方向に延びる第２の部分とからなることを特徴とする請求項１から請求項７のいずれかに記載の基板処理装置。
【請求項９】
前記処理室内に設けられ、基板を搬送する基板搬送部と、
前記処理室内に設けられ、前記基板搬送部により搬送される前記基板に対して処理液を供給する処理液供給部と、
を備え、
前記複数の天井板は長尺の長方形状に形成され、各長手方向を、前記基板の搬送方向に沿わせて瓦状に積み重ねられていることを特徴とする請求項１から請求項８のいずれかに記載の基板処理装置。
【請求項１０】
前記処理室における、前記基板の搬送方向に対して水平に直交する方向の外壁面に設けられ、前記天井板から流れてくる液滴を受け取って収容する樋を有し、
前記樋の底面は、前記基板の搬送方向に沿って徐々に低くなるように傾けられていることを特徴とする請求項１から請求項９のいずれかに記載の基板処理装置。
【手続補正２】
【補正対象書類名】明細書
【補正対象項目名】０００６
【補正方法】変更
【補正の内容】
【０００６】
本発明の実施形態に係る基板処理装置は、複数の天井板を有する処理室を備え、
前記複数の天井板は、瓦状に積み重ねられて傾斜し、傾斜方向に隣接する二つの天井板のうち、高い位置の天井板における低い側の端部が低い位置の天井板における高い側の端部を覆い、
前記高い位置の天井板における前記低い側の端部と、前記低い位置の天井板における前記高い側の端部とは、両天井板の間に設けた支持脚を介して接し、前記支持脚によって、前記低い側の端部と前記高い側の端部との間に隙間を生じさせるように設けられていることを特徴とする。
【手続補正書】
【提出日】令和2年1月21日(2020.1.21)
【手続補正１】
【補正対象書類名】特許請求の範囲
【補正対象項目名】全文
【補正方法】変更
【補正の内容】
【特許請求の範囲】
【請求項１】
可撓性を有する第１の基板の一方の面に設けられた複数の表示素子と、
可撓性を有する第２の基板の一方の面に設けられた遮光層及び複数の着色層と、を有し、
前記第１の基板と前記第２の基板とは、前記複数の表示素子、前記遮光層及び前記複数の着色層を間に挟むようにして、接着層で貼り合わせられており、
前記複数の表示素子の一は、前記複数の着色層の一と重なり、
平面視において、前記遮光層は、前記複数の発光素子のうち隣接する発光素子の間に位置し、
断面視において、前記遮光層と前記複数の着色層との間には、第１のバリア層が設けられた表示装置であって、
前記表示装置の中立面Ｃｄと前記第１のバリア層の中立面Ｃｂとの距離ｄ、前記表示装置の総厚ｔとしたとき、距離ｄを総厚ｔで割った値は、０以上且つ０．３以下である、
表示装置。
【請求項２】
請求項１において、
前記第１のバリア層は窒化アルミニウムを含む表示装置。
【誤訳訂正書】
【提出日】令和1年11月29日(2019.11.29)
【誤訳訂正１】
【訂正対象書類名】特許請求の範囲
【訂正対象項目名】全文
【訂正方法】変更
【訂正の内容】
【特許請求の範囲】
【請求項１】
三次元[3D]表示に適したビデオ情報を復号して出力する方法であって、前記ビデオ情報は、2Dディスプレイ上の表示に適した符号化されたメイン・ビデオ情報及び3D表示を可能にするための符号化された付加的なビデオ情報を有し、
当該方法は、
前記ビデオ情報上にオーバレイされるべき3Dオーバレイ情報を生成し、
前記メイン・ビデオ情報上にオーバレイされるべきオーバレイ情報の第１部分を第１バッファ中にバッファリングし、
前記付加的なビデオ情報上にオーバレイされるべきオーバレイ情報の第２部分を第２バッファ中にバッファリングし、
前記メイン・ビデオ情報及び前記付加的なビデオ情報を復号して、ビデオ・プレーン上に、各々の出力されるビデオ・フレームがメイン・ビデオ・フレーム又は付加的なビデオ・フレームである時間インタリーブされたビデオ・フレームの系列として生成し、
メイン・ビデオ・フレーム又は付加的なビデオ・フレームである出力されるビデオ・フレームの種類を決定し、
決定されたフレームの種類にしたがって、グラフィックス・プレーン上に、前記第１バッファ中の前記オーバレイ情報の第1部分又は前記第２バッファ中の前記オーバレイ情報の第２部分を合成し、
前記ビデオ・プレーン上の出力されるビデオ・フレーム上に前記グラフィックス・プレーン上の前記オーバレイ情報の第１又は第２部分をオーバレイし、
前記ビデオ・フレーム及び前記オーバレイされた情報を出力し、
前記オーバレイ情報の前記第１部分及び前記第２部分の描画の速さが、前記グラフィックス・プレーンを前記オーバレイ情報の前記第１部分及び前記第２部分でフレーム単位で更新できる程高速ではない、方法。
【請求項２】
前記メイン・ビデオ情報が、左ビデオ・フレーム及び右ビデオ・フレームの一方であり、前記付加的なビデオ情報が、前記左ビデオ・フレーム及び前記右ビデオ・フレームの他方である、請求項１に記載の方法。
【請求項３】
前記オーバレイ情報がリアルタイム・グラフィックスである、請求項２に記載の方法。
【請求項４】
前記リアルタイム・グラフィックスが、Java（登録商標）仮想マシン上で動作するJava（登録商標）アプリケーションによって生成される、請求項３に記載の方法。
【請求項５】
決定されたフレームの種類にしたがう出力されるビデオ・フレーム上の前記オーバレイ情報の第１又は第２部分のオーバレイを制御するために、タイミング情報が用いられる、請求項３に記載の方法。
【請求項６】
前記付加的なビデオ情報が前記ビデオ情報に関する深さ情報を含む、請求項１に記載の方法。
【請求項７】
前記付加的なビデオ情報が前記ビデオ情報に関する深さ情報及び遮蔽情報を含む、請求項１に記載の方法。
【請求項８】
三次元[3D]表示に適したビデオ情報を復号して出力する装置であって、前記ビデオ情報は、2Dディスプレイ上の表示に適した符号化されたメイン・ビデオ情報及び3D表示を可能にするための符号化された付加的なビデオ情報を有し、
当該装置は、前記ビデオ情報上にオーバレイされるべき3Dオーバレイ情報を生成するための生成手段、
前記メイン・ビデオ情報及び前記付加的なビデオ情報を復号するための復号器であって、ビデオ・プレーン上に、各々の出力されるビデオ・フレームがメイン・ビデオ・フレーム又は付加的なビデオ・フレームである時間インタリーブされたビデオ・フレームの系列として生成する復号器、
前記メイン・ビデオ情報上にオーバレイされるべきオーバレイ情報の第１部分をバッファリングする第１バッファ及び前記付加的なビデオ情報上にオーバレイされるべきオーバレイ情報の第２部分をバッファリングするための第２バッファを有するグラフィックス処理ユニットであって、メイン・ビデオ・フレーム又は付加的なビデオ・フレームである出力されるビデオ・フレームの種類を決定するためのコントローラをさらに有するグラフィックス処理ユニット、
決定されたフレームの種類にしたがって、グラフィックス・プレーン上に、前記第１バッファ中の前記オーバレイ情報の第１部分又は前記第２バッファ中の前記オーバレイ情報の第２部分を合成するコピー部、
前記ビデオ・プレーン上の出力されるビデオ・フレーム上に前記グラフィックス・プレーン上の前記オーバレイ情報の第１又は第２部分をオーバレイするためのミキサー、
前記ビデオ・フレーム及び前記オーバレイされた情報を出力するための出力手段、
を有し、
前記オーバレイ情報の前記第１部分及び前記第２部分の描画の速さが、前記グラフィックス・プレーンを前記オーバレイ情報の前記第１部分及び前記第２部分でフレーム単位で更新できる程高速ではない、装置。
【請求項９】
前記メイン・ビデオ情報は、左ビデオ・フレーム及び右ビデオ・フレームの一方であり、前記付加的なビデオ情報は、前記左ビデオ・フレーム及び前記右ビデオ・フレームの他方である、請求項８に記載の装置。
【請求項１０】
前記オーバレイ情報がリアルタイム・グラフィクスである請求項９に記載の装置。
【請求項１１】
前記リアルタイム・グラフィクスが、Java（登録商標）仮想マシン上で動作するJava（登録商標）アプリケーションによって生成される、請求項１０に記載の装置。
【請求項１２】
決定されたフレームの種類にしたがう出力されるビデオ・フレーム上の前記オーバレイ情報の第１又は第２部分のオーバレイを制御するために、タイミング情報が用いられる、請求項１１に記載の装置。
【請求項１３】
前記付加的なビデオ情報が前記ビデオ情報に関する深さ情報を含む、請求項８に記載の装置。
【請求項１４】
前記付加的なビデオ情報が前記ビデオ情報に関する深さ情報及び遮蔽情報を含む請求項９に記載の装置。
【請求項１５】
前記コントローラが、オーバレイ・フレームを生成するためにフレーム周波数で前記第１バッファ中の第１オーバレイ・フレームの一部又は前記第２バッファ中の第２オーバレイ・フレームの一部をコピーする、請求項８から請求項１４のいずれか一項に記載の装置。
【誤訳訂正２】
【訂正対象書類名】明細書
【訂正対象項目名】００３５
【訂正方法】変更
【訂正の内容】
【００３５】
グラフィックス処理ユニット、特にBD-J描画は、フレームごとに、これらの異なるグラフィックスによってそのグラフィックス・プレーンを、フレーム単位で更新できる程高速ではない。本発明による解決策は、グラフィックス・ユニット中に２つのバッファを実装することである。各々のバッファは、出力ビデオ・ストリームのうちの１つに割り当てられる。例えば、2D +深さ描画のために、１つのバッファは、2Dフレームの上のグラフィックス・オーバレイに割り当てられることができ、そして１つのバッファは、深さフレームの上のグラフィックス・オーバレイに割り当てられることができる。L+Rでは、同様に、１つのバッファはLフレームの上のグラフィックス・オーバレイのために用いられることができ、１つのバッファはRフレームの上のオーバレイに割り当てられることができる。この解決策の利点は、遅いグラフィックスが、フレーム単位のオーバレイ・エンジンから分離され、処理要求が大幅に低減されることである。